【手続補正書】
【提出日】平成20年2月22日(2008.2.22)
【手続補正１】
【補正対象書類名】特許請求の範囲
【補正対象項目名】全文
【補正方法】変更
【補正の内容】
【特許請求の範囲】
【請求項１】
ウォーターミストによるプール火災の消火方法において、燃焼面の側方の複数箇所から燃焼面及び火炎基部に直接向けないが火炎中心軸のいずれかの位置に向けるようにしてプール火災の火炎基部をほぼ隙間なく取り囲むようにウォーターミストを放射すると共に、燃焼面の上方の複数箇所から火炎基部より上方の火炎中心軸に向けてウォーターミストを放射する
消火方法。
【請求項２】
燃焼面の側方からのウォーターミストの放射は、燃焼面の上方からのウォーターミストの放射より先に行われる
請求項１に記載の消火方法。
【請求項３】
燃焼面の周囲に、燃焼面を取り囲むようにウォーターミストを放射できるノズルを均等な間隔で複数箇所設け、それらのノズルを前記燃焼面より上方の火炎中心軸のいずれかの位置に向けるが燃焼面及び火炎基部に直接向けないようにしてウォーターミストを放射する
請求項１または請求項２に記載の消火方法。
【請求項４】
燃焼面の上方の水平面上でかつ火炎中心軸を中心とする円状に、ウォーターミストを放射できるノズルを均等な間隔で複数箇所設け、それらのノズルを前記水平面より下方の火炎中心軸のいずれかの位置に向けるが燃焼面及び火炎基部に直接向けないようにしてウォーターミストを放射する
請求項１乃至請求項３のいずれかに記載の消火方法。
【請求項５】
火炎基部をほぼ隙間なく取り囲むように配置され、燃焼面及び火炎基部に直接向けないで火炎の流れに対して実質的に平行にウォーターミストを放射する一方の複数のノズルと、
燃焼面の上方の水平面上に配置され、火炎に対してウォーターミストを放射するとともに、前記ウォーターミストを火炎の中で互いに衝突させる他方の複数のノズルとを備える
消火用ノズル。
【請求項６】
火炎基部をほぼ隙間なく取り囲むように配置され、燃焼面及び火炎基部に直接向けないで火炎の流れに対して実質的に平行にウォーターミストを放射する一方の複数のノズルと、
燃焼面の上方の水平面上に配置され、燃焼面及び火炎基部に直接向けないで火炎に対してウォーターミストを放射するとともに、前記ウォーターミストを火炎の中で互いに衝突させて下降流を生じさせる他方の複数のノズルとを備える
消火用ノズル。
【請求項７】
前記他方の複数のノズルが、燃焼面積より小さい円状に配置される
請求項５又は請求項６に記載の消火用ノズル。
【請求項８】
前記下降流の水平断面積が、燃焼面積より小さい
請求項６に記載の消火用ノズル。
【請求項９】
前記一方の複数のノズルが、前記燃焼面および火炎基部の上方に向けて配置される
請求項５に記載の消火用ノズル。
【請求項１０】
前記一方の複数のノズルから放射されるウォーターミストの流速が、火炎基部への空気流入を阻止するのに十分な速度である
請求項５に記載の消火用ノズル。
【請求項１１】
前記一方の複数のノズルから放射されるウォーターミストの流速が、０．１ｍ／ｓ以上１０ｍ／ｓ以下である
請求項５に記載の消火用ノズル。
【請求項１２】
前記一方の複数のノズルから放射されるウォーターミストの平均粒径が、１０μｍ以上２００μｍ以下である
請求項５に記載の消火用ノズル。
【請求項１３】
前記他方の複数のノズルが、燃焼面の上方の水平面上に円状に配置される
請求項５に記載の消火用ノズル。
【請求項１４】
前記他方の複数のノズルが、前記水平面より下方に向けて配置される
請求項５に記載の消火用ノズル。
【請求項１５】
前記他方の複数のノズルから放射されるウォーターミストの流速が、火炎によって巻き上げられず、かつ火炎をあおらない速さである
請求項５に記載の消火用ノズル。
【請求項１６】
前記他方の複数のノズルから放射されるウォーターミストの流速が、１ｍ／ｓ以上３ｍ／ｓ以下である
請求項５に記載の消火用ノズル。
【請求項１７】
前記他方の複数のノズルから放射されるウォーターミストの平均粒径が、５０μｍ以上５００μｍ以下である
請求項５に記載の消火用ノズル。
【手続補正２】
【補正対象書類名】明細書
【補正対象項目名】発明の名称
【補正方法】変更
【補正の内容】
【発明の名称】プール火災の消火方法及び消火用ノズル
【手続補正３】
【補正対象書類名】明細書
【補正対象項目名】０００１
【補正方法】変更
【補正の内容】
【０００１】
本発明は、油等によるプール火災の消火方法、及び消火用ノズルに関し、さらに詳しくは燃焼面の側方から火炎中心軸（火炎基部の中心と火炎頂点を結ぶ線）に向けて火炎基部をほぼ隙間なく囲むようにウォーターミストを放射すると共に、燃焼面の上方から火炎中心軸に向けてウォーターミストを下方に放射することによってプール火災を効果的に消火する方法、及び消火用ノズルに関する。
【手続補正４】
【補正対象書類名】明細書
【補正対象項目名】００１０
【補正方法】変更
【補正の内容】
【００１０】
即ち、本発明の方法は、ウォーターミストによるプール火災の消火方法において、燃焼面の側方の複数箇所から燃焼面及び火炎基部に直接向けないが火炎中心軸のいずれかの位置に向けるようにしてプール火災の火炎基部をほぼ隙間なく取り囲むようにウォーターミストを放射すると共に、燃焼面の上方の複数箇所から火炎基部より上方の火炎中心軸に向けてウォーターミストを放射することによって消火することを特徴とする。
【手続補正５】
【補正対象書類名】明細書
【補正対象項目名】００１１
【補正方法】変更
【補正の内容】
【００１１】
本発明の方法の好ましい態様では、燃焼面の側方からのウォーターミストの放射は、燃焼面の上方からのウォーターミストの放射より先に行なわれる。また、本発明の方法の好ましい態様では、燃焼面の周囲に、燃焼面を取り囲むようにウォーターミストを放射できるノズルを均等な間隔で複数箇所設け、それらのノズルを前記燃焼面より上方の火炎中心軸のいずれかの位置に向けるが燃焼面及び火炎基部に直接向けないようにしてウォーターミストを放射する。さらに、本発明の方法の好ましい態様では、燃焼面の上方の水平面上でかつ火炎中心軸を中心とする円状に、ウォーターミストを放射できるノズルを均等な間隔で複数箇所設け、それらのノズルを前記水平面より下方の火炎中心軸のいずれかの位置に向けるが燃焼面及び火炎基部に直接向けないようにしてウォーターミストを放射する。
【手続補正６】
【補正対象書類名】明細書
【補正対象項目名】００１８
【補正方法】変更
【補正の内容】
【００１８】
ウォーターミストを燃焼面の上方から火炎中心軸に向けて放射する方法としては、例えば燃焼面の上方に形成した水平面上にある火炎中心軸を中心とする円状にウォーターミストを放射できるノズルを均等な間隔で複数箇所設けることによって行なうことができる。但し、この場合、各ノズルはウォーターミストを前記水平面より下方の火炎中心軸上のいずれかの位置に向けるが、火炎周囲の空気を巻き込むことを避ける理由のため、燃焼面及び火炎基部に直接向けないようにすることが好ましい。上方からのウォーターミストの放射流速は、火炎によって巻き上げられず、かつ火炎をあおらない速さであることが必要であり、実際には１ｍ／ｓ〜３ｍ／ｓが好ましい。
【手続補正７】
【補正対象書類名】明細書
【補正対象項目名】００２１
【補正方法】変更
【補正の内容】
【００２１】
以下に本発明の方法及びノズルの一例によってその効果を示すが、本発明はこれに限定されるものではない。
【手続補正８】
【補正対象書類名】明細書
【補正対象項目名】００２３
【補正方法】変更
【補正の内容】
【００２３】
参考例２
図２に記載のように、直径１４４０ｍｍ、深さ３００ｍｍの円形の油槽を用意し、油槽の縁から９９０ｍｍ上方の水平面上で火炎中心軸（油槽の垂直中心軸）を中心軸とする直径１２１０ｍｍの円状に均等に２４個のウォーターミスト発生ノズルを設置し、火炎中心軸に向けて水平面から３０°の噴射角度、６０°の噴射範囲で平均粒径１００μｍのウォーターミストを噴射できるようにした。次に、円形の油槽の深さ１５０ｍｍまでｎ−ヘプタンを入れて着火し、上記の噴射方法で燃焼面及び火炎基部ではなく火炎中心軸に向かってウォーターミストを噴射して消火したところ、消火時間は２１秒であった。なお、ウォーターミストの噴射時の水圧力は０．９ＭＰａ、水流量は４８ｌ／ｍｉｎであり、水使用量は１６．８ｌであった。
【手続補正９】
【補正対象書類名】明細書
【補正対象項目名】００２４
【補正方法】変更
【補正の内容】
【００２４】
実施例１
図３に記載のように、直径１４４０ｍｍ、深さ３００ｍｍの円形の油槽を用意し、油槽の周囲に均等に２４個のウォーターミスト発生ノズルを設置し、油槽の中央上方に向けて３０°の噴射角度、６０°の噴射範囲で平均粒径１００μｍのウォーターミストを噴射できるようにするとともに、油槽の縁から９９０ｍｍ上方の水平面上で火炎中心軸（油槽の垂直中心軸）を中心軸とする直径１２５０ｍｍの円状に均等に１６個のウォーターミスト発生ノズルを設置し、火炎中心軸に向けて水平面から１５°の噴射角度、６０°の噴射範囲で平均１００μｍのウォーターミストを噴射できるようにした。次に、円形の油槽の深さ１５０ｍｍまでｎ−ヘプタンを入れて着火し、油槽の縁からの噴射を油槽の上方からの噴射より４秒速く開始して、上記の噴射方法で、油槽の周囲からの噴射では、火炎基部を隙間なく取り囲み、油槽の上方からの噴射では、燃焼面及び火炎基部ではなく火炎中心軸に向かってウォーターミストを噴射して消火したところ、消火時間は１３秒であった。なお、ウォーターミストの噴射時の水圧力は０．９ＭＰａ、水流量及び水使用量は、油槽の上方からの噴射では３２ｌ／ｍｉｎ，６．４ｌ、油槽の縁からの噴射では９．６ｌ／ｍｉｎ，２．１ｌであり、油槽の周囲に配置したノズル出口から２０ｃｍの距離でのウォーターミストの放射流速は３ｍ／ｓであった。
【手続補正１０】
【補正対象書類名】明細書
【補正対象項目名】００２６
【補正方法】変更
【補正の内容】
【００２６】
本発明の方法及びノズルによれば、プール火災の消火がウォーターミストの側方流と下降流を併用することによって少ない水量で迅速かつ確実に行なうことができるので、プール火災が生じうる場所の消火に極めて有用である。